(57)【特許請求の範囲】
【請求項１】
複数のローラにより印字用紙の搬送方向と直交する方向に張られたトナー像担持体に担持されたトナー像を、転写対向ローラにより印字用紙の搬送方向と直交する方向に印字用紙へ転写し、印字用紙に転写されたトナー像を定着させる直交転写方式の画像形成装置であって、トナー像担持体にトナーを付着させる現像手段をブラックとその他の原色とに分離し、ブラックに対応する現像ローラを１本丸ごと用いた現像手段と、１本の現像ローラをその他の原色で共用する現像手段とを備え、各々の現像手段をトナー像担持体の回転方向に沿って配置したことを特徴とする画像形成装置。
【請求項２】
トナー像担持体が感光体ベルトからなり、画像信号に基づきトナー像担持体を露光する露光手段を備えたことを特徴とする請求項１記載の画像形成装置。
【発明の詳細な説明】
【０００１】
【発明の属する技術分野】
本発明は、トナー像を印字用紙の搬送方向と直交する方向に印字用紙へ転写する直交転写方式の画像形成装置に関するものである。
【０００２】
【従来の技術】
近年、レーザープリンタに代表されるように、解像度に優れ鮮明な画像を形成できるトナー方式の画像形成装置が普及してきている。このようなトナー方式の画像形成装置の中でも、特願平７−３２８６００で開示したように、印字用紙の搬送方向と直交する方向へトナー像担持体を移動させ、１工程ずつ小刻みにトナー像の転写を行う直交転写方式の画像形成装置は、その構成上製品の小型化を推進するのに大変適している。
【０００３】
以下、このような直交転写方式によるカラー対応の従来の画像形成装置について説明する。
【０００４】
図１１は従来の画像形成装置の概略構成図であり、図１２は従来の画像形成装置の転写の工程を示す斜視図、図１３は従来の画像形成装置の現像ローラのトナー層の形成状態を示す模式図である。そして、図１４〜図１７は従来の画像形成装置の転写の状態を示す模式図である。
【０００５】
図１１〜図１２において、表面が有機光導電性材料の層でコーティングされた感光体ベルトからなるトナー像担持体１は、支持ローラ２，変位ローラ３，転写対向ローラ４等の複数のローラにより印字用紙５の搬送方向と直交する方向に張られており、画像形成時には矢印方向に回転することでトナー像担持体１の表面にトナー像が形成される。このトナー像担持体１の周囲には、帯電手段６，現像手段７，クリーニング手段８，除電手段９等が配置されており、トナー像担持体１の上部にはレーザー光を照射するための露光手段１０が配置されている。図１１に矢印で示すように、トナー像担持体１が印字用紙５の搬送方向と直交する方向に回転すると、帯電手段６を通過した部分は−６００Ｖ程度に均一に帯電する。露光手段１０はシアン，マゼンタ，イエロー，ブラックの４原色各々の画像信号に基づき、トナー像担持体１の表面を１ラインを４原色に対応したレーザー光で照射する。レーザー光を照射された部分の電位が−１００Ｖ程度に上昇することにより、原色毎に４つに区分された静電潜像がトナー像担持体１の表面に同時に形成される。この静電潜像が形成された部分に４原色のトナーを現像ローラ１１で押し付けると、トナー像担持体１上に可視像となった４原色各々のトナー像が次々に現れる。
【０００６】
図１１〜図１２に示すように、現像手段７は原色毎に４つの部分から構成されており、現像手段７Ｃがシアン，現像手段７Ｍがマゼンタ，現像手段７Ｙがイエロー，現像手段７Ｂがブラックというように、それぞれに内蔵された原色のトナーによりシアン，マゼンタ，イエロー，ブラックの４原色のトナー層を、共通の現像ローラ１１上に原色毎に４つに区分して形成する。図１３に示すように、現像ローラ１１には右からシアン，マゼンタ，イエロー，ブラックの４色のトナー層１２が形成されており、各トナー層１２は混色防止のために隙間１３あるいは隙間１４で隔てられているが、この隙間１３，１４の部分はシール材１５，１６によりシールされているので通常はトナーは付着しないようになっている。図１４〜図１７に示すように、トナー像担持体１には現像手段７により現像される各色の現像領域と、現像領域に挾まれた非現像領域とが存在するが、印字用紙５の搬送方向における現像領域の幅は各色とも同じに設定している。特に、図１４〜図１７では現像領域の幅と非現像領域の幅とを１：１に設定している。
【０００７】
このような直交転写方式の画像形成装置の特徴は、図１２に示すように、転写の際にはトナー像担持体１の回転と印字用紙５の搬送を一旦停止し、静止した印字用紙５上をトナー像担持体１が転写対向ローラ４の移動に伴い擦（こす）り付けられて変位することである。この際、トナー像担持体１の弛（たる）みをなくすために変位ローラ３は転写対向ローラ４の動きに追随して変位する。
【０００８】
１工程分の転写が終了する毎に、転写対向ローラ４が印字用紙５上を通り過ぎて印字用紙５の領域外に移動することにより、トナー像担持体１は印字用紙５から離隔する。すると印字用紙５の搬送が開始されるが、印字用紙５の搬送距離は図１４〜図１７に示した各色のトナー層で表わすトナー像担持体１の各色の現像領域の幅の分だけである。印字用紙５は各色の現像領域の幅の分ずつ断続的に定着手段１７側に送られ、定着手段１７は画像が転写された印字用紙５を加圧ローラ１８と内部に熱源を有する加熱ローラ１９とで挟み込み、トナー粒子を溶融させて印字用紙５に定着させる。
【０００９】
カラーのトナー像の形成方法は、最初は図１４に示す状態から始まるが、１回目の転写では１工程で｛シアン｝のトナー像を転写するだけであるので、１列目にはシアンのトナー像のみが転写される。現像領域の幅の分だけ印字用紙５を搬送すると２回目の転写が行われるが、２回目の転写でも１工程で｛シアン｝のトナー像を転写するだけであるので、２列目にもシアンのトナー像のみが転写される。
【００１０】
次は図１５に示すように、３回目の転写では１工程で｛シアン，マゼンタ｝のトナー像を転写するので、１列目は｛シアン，マゼンタ｝のトナー像が重ねられるが、３列目は｛シアン｝のトナー像のみが転写される。現像領域の幅の分だけ印字用紙５を搬送すると、同様にして４回目の転写が行われるが、４回目の転写でも１工程で｛シアン，マゼンタ｝のトナー像を転写するので、２列目は｛シアン，マゼンタ｝のトナー像が重ねられるが、４列目は｛シアン｝のトナー像のみが転写される。
【００１１】
次は図１６に示すように、５回目の転写では１工程で｛シアン，マゼンタ，イエロー｝のトナー像を転写するので、１列目は｛シアン，マゼンタ，イエロー｝のトナー像が、３列目は｛シアン，マゼンタ｝のトナー像が重ねられる。５列目は｛シアン｝のトナー像のみが転写される。現像領域の幅の分だけ印字用紙５を搬送すると、同様にして６回目の転写が行われるが、６回目の転写でも１工程で｛シアン，マゼンタ，イエロー｝のトナー像を転写するので、２列目は｛シアン，マゼンタ，イエロー｝のトナー像が重ねられ、４列目は｛シアン，マゼンタ｝のトナー像が重ねられるが、６列目は｛シアン｝のトナー像のみが転写される。
【００１２】
その後は図１７に示すように、７回目の転写では１工程で｛シアン，マゼンタ，イエロー，ブラック｝のトナー像を転写するので、１列目は｛シアン，マゼンタ，イエロー，ブラック｝のトナー像によりカラーのトナー像が形成され、３列目は｛シアン，マゼンタ，イエロー｝のトナー像が重ねられる。５列目は｛シアン，マゼンタ｝のトナー像が重ねられるが、７列目は｛シアン｝のトナー像のみが転写される。
【００１３】
転写の最後の方は丁度逆の経路を辿り、１工程で｛シアン，マゼンタ，イエロー，ブラック｝のトナー像を転写していたのが、シアンが欠けて｛マゼンタ，イエロー，ブラック｝となり、さらにはマゼンタも欠けて｛イエロー，ブラック｝となり、最後には｛ブラック｝だけとなる。
【００１４】
【発明が解決しようとする課題】
しかしながら、以上のような従来の画像形成装置では、図１２〜図１３に示すように、現像手段７は印字用紙５の搬送方向に沿って４原色各々の現像手段７Ｃ〜７Ｂが並んでいるために、４原色の各色の現像手段７Ｃ〜７Ｂの幅は当然狭くなる。そして、現像手段７の共通の現像ローラ１１には隙間１３，１４の部分が存在するために現像ローラ１１の有効利用幅は更に狭くなり、カラー印字の際には印字速度が低下する原因となる。特にブラックのトナーのみを使用するモノクロ印字の際には、直交転写方式でない画像形成装置に比べて極端に印字速度が遅くなるという課題を有していた。
【００１５】
本発明は以上の課題を解決し、カラー印字の際やモノクロ印字の際の印字速度を速めた画像形成装置を提供することを目的とする。
【００１６】
【課題を解決するための手段】
この課題を解決するために本発明は、複数のローラにより印字用紙の搬送方向と直交する方向に張られたトナー像担持体に担持されたトナー像を、転写対向ローラにより印字用紙の搬送方向と直交する方向に印字用紙へ転写し、印字用紙に転写されたトナー像を定着させる直交転写方式の画像形成装置であって、トナー像担持体にトナーを付着させる現像手段をブラックとその他の原色とに分離し、ブラックに対応する現像ローラを１本丸ごと用いた現像手段と、１本の現像ローラをその他の原色で共用する現像手段とを備え、各々の現像手段をトナー像担持体の回転方向に沿って配置した構成としたものである。
【００１７】
この発明によれば、カラー印字の際やモノクロ印字の際の印字速度を速めた画像形成装置を提供することができる。
【００１８】
【発明の実施の形態】
本発明の請求項１に記載の発明は、複数のローラにより印字用紙の搬送方向と直交する方向に張られたトナー像担持体に担持されたトナー像を、転写対向ローラにより印字用紙の搬送方向と直交する方向に印字用紙へ転写し、印字用紙に転写されたトナー像を定着させる直交転写方式の画像形成装置であって、トナー像担持体にトナーを付着させる現像手段をブラックとその他の原色とに分離し、ブラックに対応する現像ローラを１本丸ごと用いた現像手段と、１本の現像ローラをその他の原色で共用する現像手段とを備え、各々の現像手段をトナー像担持体の回転方向に沿って配置した構成としたものであり、ブラックに対応する現像ローラの全面を有効に使用できるのでカラー印字の際やモノクロ印字の際の印字速度が速まるという作用を有する。
【００１９】
本発明の請求項２に記載の発明は、請求項１記載の発明において、トナー像担持体が感光体ベルトからなり、画像信号に基づきトナー像担持体を露光する露光手段を備えた構成としたものであり、ブラックに対応する現像ローラの全面を有効に使用できるのでカラー印字の際やモノクロ印字の際の印字速度が速まるという作用を有する。
【００２０】
以下、本発明の実施の形態について図１〜図１０を用いて説明するが、従来例と同一部分には同一の符号を付している。
【００２１】
（実施の形態１）
本発明の一実施の形態の大要は、ブラックに対応する現像ローラを１本丸ごと用いた現像手段と、１本の現像ローラをその他の３原色で共用する現像手段とを配置し、ブラックに対応する現像ローラの有効利用を図ることによりカラー印字の際やモノクロ印字の際の印字速度を速めたことである。以下、本発明の一実施の形態の詳細を図１〜図１０を参照しながら説明する。
【００２２】
図１は本発明の一実施の形態による画像形成装置の概略構成図であり、図２は本発明の一実施の形態による画像形成装置の転写の工程を示す斜視図、図３〜図４は本発明の一実施の形態による画像形成装置の現像ローラのトナー層の形成状態を示す模式図である。そして図５〜図９は本発明の一実施の形態による画像形成装置の転写の状態を示す模式図であり、図１０は本発明の一実施の形態による画像形成装置の定着手段の模式図である。
【００２３】
図１〜図２において、表面が有機光導電性材料の層でコーティングされた感光体ベルトからなるトナー像担持体１は、支持ローラ２，変位ローラ３，転写対向ローラ４等の複数のローラにより印字用紙５の搬送方向と直交する方向に張られており、画像形成時には矢印方向に回転することでトナー像担持体１の表面にトナー像が形成される。このトナー像担持体１の周囲には、帯電手段６，クリーニング手段８，除電手段９等が配置されている。さらにトナー像担持体１の周囲には、トナー像担持体１と各々が離接可能な現像手段２０Ｃ，２０Ｂが配置されている。シアン，マゼンタ，イエローに対応する現像手段２０Ｃには現像ローラ２１Ｃが使用され、ブラックに対応する現像手段２０Ｂには現像ローラ２１Ｂが使用されている。そして、トナー像担持体１の上部にはレーザー光を照射するための露光手段１０が配置されている。本発明の一実施の形態では露光手段１０の代表的なものとしてレーザーを用いた場合について説明するが、露光手段１０はレーザーだけでなくＬＥＤあるいはＬＣＤを用いたものでも良い。図１に矢印で示すように、トナー像担持体１が印字用紙５の搬送方向と直交する方向に回転すると、帯電手段６を通過した部分は−６００Ｖ程度に均一に帯電する。露光手段１０はシアン，マゼンタ，イエロー，ブラックの４原色各々の画像信号に基づき、トナー像担持体１の表面を｛ブラック｝に対応したレーザー光や、１ラインを｛シアン，マゼンタ，イエロー｝の３原色に対応したレーザー光で照射する。レーザー光を照射された部分の電位が−１００Ｖ程度に上昇することにより、静電潜像がトナー像担持体１０の表面に形成される。この静電潜像が形成された部分に現像手段２０Ｃ，２０Ｂの内の照射したレーザー光に対応するものだけを接触させ、トナーを現像ローラ２１Ｃあるいは現像ローラ２１Ｂで押し付けるとトナー像担持体１上に可視像となったトナー像が次々に現れる。
【００２４】
少し敷衍すると、図１〜図２に示すように、現像手段２０は｛シアン，マゼンタ，イエロー｝に対応する現像手段２０Ｃと、｛ブラック｝に対応する現像手段２０Ｂとで構成されており、それぞれが前述したようにトナー像担持体１と離接可能である。ただし、トナー像担持体１と非接触で行うジャンピング現像等の方法もあるので、本発明においては離接可能の「接」の意味は「接触」だけでなく「接近」の意味も含むものと定義する。現像手段２０Ｃが｛シアン，マゼンタ，イエロー｝のグループ，現像手段２０Ｂが｛ブラック｝のグループというように、それぞれに内蔵された原色グループのトナーにより｛シアン，マゼンタ，イエロー｝の３原色、あるいは｛ブラック｝の原色のトナー層を、各々の現像ローラ２１Ｃ，２１Ｂ上に形成する。図３に示すように、現像手段２０Ｃの現像ローラ２１Ｃに形成されるトナー層１２の状態は、従来例の説明で用いた図１１において左端にあるブラックのトナー層１２を削除したものとなる。そして図４に示すように、現像手段２０Ｂの現像ローラ２１Ｂには現像ローラ２１Ｃと異なり、現像ローラ２１Ｂに丸ごとブラック１色分のトナー層１２を形成し、ブラックのトナー層１２はシール材２２でシールされた隙間２３で隔てられている。
【００２５】
｛シアン，マゼンタ，イエロー｝の３原色のグループ、あるいは｛ブラック｝のグループのような原色グループ単位でのトナー像の印字用紙５への転写の際には、図２に示すように、一時的に印字用紙５の搬送を中断して転写板２４（図１参照）上に印字用紙５を静止させると共に、トナー像担持体１の回転も停止させる。そして、トナー像担持体１のトナー像が形成された部分を、トナー像担持体１の裏側から転写対向ローラ４を転がして印字用紙５に擦り付けて原色グループのトナー像の転写を行い、トナー像担持体１を左端あるいは右端から逆の方向へ１工程分変位させる。この時、原色グループのトナー像の転写を終えたトナー像担持体１の転写終了面Ｚは、転写対向ローラ４の通過と共に印字用紙５から逐次離隔していく。転写工程中は、印字用紙５を載せた転写板２４に正の電圧を印加し、負に帯電したトナー像をトナー像担持体１の表面から引き寄せて剥離させ印字用紙５に転写させる。なお、このトナー像担持体１による転写は、今述べたように往路だけではなく復路にも可能である。この時、トナー像担持体１の移動方向を印字用紙５側から眺めると、トナー像担持体１は印字用紙５上を印字用紙５の搬送方向に対し直交する方向に変位している。
【００２６】
図１に示すように、クリーニング手段８は、トナー像担持体１の表面の残留トナーを、クリーニングブレードやクリーニングブラシにより除去して廃トナーとして回収し、トナー像担持体１の表面を物理的に清浄化する。そして、除電手段９は、残留トナーを除去した後のトナー像担持体１の表面に残留した負の電荷を中和して、トナー像担持体１の表面を電気的に清浄化する。なお、除電手段９の設置は必須要件ではない。
【００２７】
図５〜図８に示すように、３原色からなる｛シアン，マゼンタ，イエロー｝の原色グループの転写の際には、トナー像担持体１には現像手段２０Ｃにより現像される各色の現像領域と、現像領域に挾まれた非現像領域とが存在するが、現像領域の幅は各色とも同じに設定している。現像領域の幅と非現像領域の幅との比率は、｛１：１｝，｛２：１｝，｛３：１｝，・・等に設定可能であるが、図５〜図８では現像領域の幅と非現像領域の幅とを｛１：１｝に設定している。
【００２８】
図８に示すように、｛シアン，マゼンタ，イエロー｝の原色グループの転写が、ブラックのトナー層で表わすトナー像担持体１の現像領域の幅の分（この場合は５列分）だけ終了すると、印字用紙５は直ちに図７に示す位置まで引き戻され、次の段階の｛ブラック｝の原色グループ分の転写に移行する。図９に示すように、｛ブラック｝の原色グループの転写が１回の工程で（この場合は５列分）終了すると、４原色からなるカラーのトナー像（この場合は５列分）が印字用紙５上に形成され、次の転写のために印字用紙５の搬送が開始される。
【００２９】
繰り返して説明すると、印字用紙５へのカラーのトナー像の形成方法は、前述のように｛シアン，マゼンタ，イエロー｝の３原色グループの転写を終えた後に、印字用紙５を引き戻して｛ブラック｝の原色グループの転写の転写を行う。モノクロ印字を行う場合の印字用紙５へのブラックのトナー像の形成方法は、現像手段２０Ｂのみを用いて｛ブラック｝の原色グループの転写を繰り返して｛ブラック｝のトナー像を転写する。
【００３０】
本発明の特徴として、ブラックの現像に用いる現像手段２０Ｂでは、現像ローラ２１Ｂを１本丸ごと｛ブラック｝の原色グループの現像に用いているために、トナー像担持体１のブラックの現像領域の幅が従来例と異なり大幅に広がっている。このためにブラックの転写速度が速くなり、カラー印字の際は無論のこと、ブラックのトナーを使うモノクロ印字の場合には従来例と比較して大幅な印字速度の向上が見られる。
【００３１】
カラーのトナー像の形成方法を詳述すると、最初は図５に示す状態から始まるが、１回目の転写では１工程で｛シアン｝のトナー像を転写するだけであるので、１列目にはシアンのトナー像のみが転写される。現像領域の幅の分だけ印字用紙５を搬送すると２回目の転写が行われるが、２回目の転写でも１工程で｛シアン｝のトナー像を転写するだけであるので、２列目にもシアンのトナー像のみが転写される。
【００３２】
次は図６に示すように、３回目の転写では１工程で｛シアン，マゼンタ｝のトナー像を転写するので、１列目は｛シアン，マゼンタ｝のトナー像が重ねられるが、３列目は｛シアン｝のトナー像のみが転写される。現像領域の幅の分だけ印字用紙５を搬送すると、同様にして４回目の転写が行われるが、４回目の転写でも１工程で｛シアン，マゼンタ｝のトナー像を転写するので、２列目は｛シアン，マゼンタ｝のトナー像が重ねられるが、４列目は｛シアン｝のトナー像のみが転写される。
【００３３】
次は図７に示すように、５回目の転写では１工程で｛シアン，マゼンタ，イエロー｝のトナー像を転写するので、１列目は｛シアン，マゼンタ，イエロー｝のトナー像が、３列目は｛シアン，マゼンタ｝のトナー像が重ねられる。５列目は｛シアン｝のトナー像のみが転写される。現像領域の幅の分だけ印字用紙５を搬送すると、同様にして６回目の転写が行われるが、６回目の転写でも１工程で｛シアン，マゼンタ，イエロー｝のトナー像を転写するので、２列目は｛シアン，マゼンタ，イエロー｝のトナー像が重ねられ、４列目は｛シアン，マゼンタ｝のトナー像が重ねられるが、６列目は｛シアン｝のトナー像のみが転写される。
【００３４】
その後は図８に示すように、｛シアン，マゼンタ，イエロー｝の原色グループの転写が、ブラックのトナー層で表わすトナー像担持体１の現像領域の幅の分（この場合は５列分）だけ終了すると、印字用紙５は直ちに図７に示す位置まで引き戻され、次の段階である｛ブラック｝の原色グループの転写に移行する。
【００３５】
図９に示すように、｛シアン，マゼンタ，イエロー｝の原色グループにおける５列分の転写は、｛ブラック｝の原色グループの転写においては１回の転写で終了し、｛ブラック｝の原色グループを重ねた部分には４原色からなるカラーのトナー像が５列分形成される。その後は、新たに｛シアン，マゼンタ，イエロー｝の原色グループの転写を行うために、カラーのトナー像が形成された部分の長さだけ印字用紙５の搬送が行われる。
【００３６】
以上の説明では、印字用紙５が前進と後退を繰り返しながら、｛シアン，マゼンタ，イエロー｝の原色グループの転写と、｛ブラック｝の原色グループの転写とを交互に行う場合について述べた。つまり、トナー像担持体１のブラックの現像領域の幅ずつカラーのトナー像が逐次形成されて行くという、いわば逐次転写方式について述べたのであるが、カラーのトナー像の転写方式はその他の方式を採用しても良い。それは、いわば逐次転写方式に対する一括転写方式とでもいうものであり、印字用紙５が前進しながら｛シアン，マゼンタ，イエロー｝の原色グループの転写を全て終えると印字用紙５が全面的に後退して最初の転写位置に戻り、印字用紙５が再び前進しながら｛ブラック｝の原色グループの転写を一括して行うものである。
【００３７】
以上に述べた、逐次転写方式か一括転写方式かどちらかの転写方式による転写を繰り返した後、図２に示すように、印字用紙５は定着手段１７側に送られる。定着手段１７は画像が転写された印字用紙５を、加圧ローラ１８と内部に熱源を有する加熱ローラ１９とで挟み込み、トナー粒子を溶融させて印字用紙５に定着させる。印字用紙５に全ての画像が転写された後であれば、印字用紙５は停止することなく搬出されるので加熱ローラ１９の熱源はオンのままで良い。しかし、印字用紙５に画像を転写中であれば、印字用紙５は停止状態にあるので加熱ローラ１９の熱源を一時オフにするか、あるいは加熱ローラ１９を印字用紙５から遠ざける必要がある。また、図１０に示すように、定着手段２５として熱源２６と反射板２７とで構成されたものを採用し、定着手段２５の下側に反射板２８を設置して熱効率を向上させることにより、トナーと非接触で定着させる方法もある。以上のようにして一連の画像形成の工程が終了する。
【００３８】
最後に、本発明の請求項１に関わることを簡潔に述べておくと、トナー像担持体には必ずしも感光体を用いる必要はないし、露光手段も必要としない場合がある。というのは、熱源により静電潜像を形成して現像することによりトナー像を形成することもできるし、トナーでベタ塗りにしたトナー像担持体をエアージェットで吹き飛ばし、あたかも版画を彫るようにしてトナー像を形成することもできるからである。
【００３９】
【発明の効果】
以上のように本発明によれば、複数のローラにより印字用紙の搬送方向と直交する方向に張られたトナー像担持体に担持されたトナー像を、転写対向ローラにより印字用紙の搬送方向と直交する方向に印字用紙へ転写し、印字用紙に転写されたトナー像を定着させる直交転写方式の画像形成装置であって、トナー像担持体にトナーを付着させる現像手段をブラックとその他の原色とに分離し、ブラックに対応する現像ローラを１本丸ごと用いた現像手段と、１本の現像ローラをその他の原色で共用する現像手段とを備え、各々の現像手段をトナー像担持体の回転方向に沿って配置した構成としたことにより、ブラックに対応する現像ローラの全面を有効に使用できるのでカラー印字の際やモノクロ印字の際の印字速度を大幅に速めることができる。
【図面の簡単な説明】
【図１】本発明の一実施の形態による画像形成装置の概略構成図
【図２】本発明の一実施の形態による画像形成装置の転写の工程を示す斜視図
【図３】本発明の一実施の形態による画像形成装置の現像ローラのトナー層の形成状態を示す模式図
【図４】本発明の一実施の形態による画像形成装置の現像ローラのトナー層の形成状態を示す模式図
【図５】本発明の一実施の形態による画像形成装置の転写の状態を示す模式図
【図６】本発明の一実施の形態による画像形成装置の転写の状態を示す模式図
【図７】本発明の一実施の形態による画像形成装置の転写の状態を示す模式図
【図８】本発明の一実施の形態による画像形成装置の転写の状態を示す模式図
【図９】本発明の一実施の形態による画像形成装置の転写の状態を示す模式図
【図１０】本発明の一実施の形態による画像形成装置の定着手段の模式図
【図１１】従来の画像形成装置の概略構成図
【図１２】従来の画像形成装置の転写の工程を示す斜視図
【図１３】従来の画像形成装置の現像ローラのトナー層の形成状態を示す模式図
【図１４】従来の画像形成装置の転写の状態を示す模式図
【図１５】従来の画像形成装置の転写の状態を示す模式図
【図１６】従来の画像形成装置の転写の状態を示す模式図
【図１７】従来の画像形成装置の転写の状態を示す模式図
【符号の説明】
１  トナー像担持体
２  支持ローラ
３  変位ローラ
４  転写対向ローラ
５  印字用紙
６  帯電手段
７  現像手段
７Ｃ  現像手段
７Ｍ  現像手段
７Ｙ  現像手段
７Ｂ  現像手段
８  クリーニング手段
９  除電手段
１０  露光手段
１１  現像ローラ
１２  トナー層
１３  隙間
１４  隙間
１５  シール材
１６  シール材
１７  定着手段
１８  加圧ローラ
１９  加熱ローラ
２０  現像手段
２０Ｃ  現像手段
２０Ｂ  現像手段
２１Ｃ  現像ローラ
２１Ｂ  現像ローラ
２２  シール材
２３  隙間
２４  転写板
２５  定着手段
２６  熱源
２７  反射板
２８  反射板
【図１】
0003546631.tif 000002
【図２】
0003546631.tif 000003
【図３】
0003546631.tif 000004
【図４】
0003546631.tif 000005
【図５】
0003546631.tif 000006
【図６】
0003546631.tif 000007
【図７】
0003546631.tif 000008
【図８】
0003546631.tif 000009
【図９】
0003546631.tif 000010
【図１０】
0003546631.tif 000011
【図１１】
0003546631.tif 000012
【図１２】
0003546631.tif 000013
【図１３】
0003546631.tif 000014
【図１４】
0003546631.tif 000015
【図１５】
0003546631.tif 000016
【図１６】
0003546631.tif 000017
【図１７】
0003546631.tif 000018